【手続補正書】
【提出日】平成26年9月8日(2014.9.8)
【手続補正１】
【補正対象書類名】明細書
【補正対象項目名】０００９
【補正方法】変更
【補正の内容】
【０００９】
上記の目的を達成するため、本発明による情報処理装置は、情報処理を実行する情報処理手段と、前記情報処理手段が用いる情報を記憶する記憶手段と、前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御手段とを備え、前記情報処理手段は、前記電源制御手段が前記情報処理装置を前記スタンバイモードから前記第１の省電力モードに移行する場合に、前記記憶手段に第１のステータス情報を書き込み、前記電源制御手段は、前記第１の省電力モードで電源スイッチがオフされた場合に、前記情報処理装置を前記第１の省電力モードから前記第２の省電力モードに移行し、前記第２の省電力モードで前記電源スイッチがオンされた場合に、前記電源制御手段は、前記情報処理装置を前記第２の省電力モードから前記スタンバイモードに移行するとともに、前記情報処理手段は、前記記憶手段に記憶された前記第１のステータス情報を用いて、前記情報処理装置の起動処理を実行することを特徴とする。
【手続補正２】
【補正対象書類名】明細書
【補正対象項目名】００１０
【補正方法】変更
【補正の内容】
【００１０】
また、本発明による情報処理装置は、情報処理を実行する情報処理手段と、
前記情報処理手段が用いる情報を記憶する記憶手段と、前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御手段とを備え、前記電源制御手段は、予め規定された移行要因を満たした場合に、前記情報処理装置を前記第１の省電力モードに移行し、前記第１の省電力モードで電源スイッチがオフされた場合に、前記情報処理手段は、前記記憶手段に第１のステータス情報を書き込むととともに、前記電源制御手段は、前記情報処理装置を前記第１の省電力モードから前記第２の省電力モードに移行し、前記第２の省電力モードで前記電源スイッチがオンされた場合に、前記電源制御手段は、前記情報処理装置を前記第２の省電力モードから前記スタンバイモードに移行するととともに、前記情報処理手段は、前記記憶手段に記憶された前記第１のステータス情報を用いて、前記情報処理装置の起動処理を実行することを特徴とする。
【手続補正３】
【補正対象書類名】特許請求の範囲
【補正対象項目名】全文
【補正方法】変更
【補正の内容】
【特許請求の範囲】
【請求項１】
情報処理装置であって、
情報処理を実行する情報処理手段と、
前記情報処理手段が用いる情報を記憶する記憶手段と、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御手段とを備え、
前記情報処理手段は、前記電源制御手段が前記情報処理装置を前記スタンバイモードから前記第１の省電力モードに移行する場合に、前記記憶手段に第１のステータス情報を書き込み、
前記電源制御手段は、前記第１の省電力モードで電源スイッチがオフされた場合に、前記情報処理装置を前記第１の省電力モードから前記第２の省電力モードに移行し、
前記第２の省電力モードで前記電源スイッチがオンされた場合に、前記電源制御手段は、前記情報処理装置を前記第２の省電力モードから前記スタンバイモードに移行するとともに、前記情報処理手段は、前記記憶手段に記憶された前記第１のステータス情報を用いて、前記情報処理装置の起動処理を実行することを特徴とする情報処理装置。
【請求項２】
前記第１のステータス情報は、前記情報処理装置が電源オフ状態から前記電源スイッチがオンされた直後の前記情報処理装置のステータスを示す情報であることを特徴とする請求項１に記載の情報処理装置。
【請求項３】
前記情報処理手段は、前記電源制御手段が前記情報処理装置を前記スタンバイモードから前記第１の省電力モードに移行する場合に、前記記憶手段に第２のステータス情報をさらに書き込み、
前記電源制御手段は、前記第１の省電力モードで予め規定された復帰要因を満たした場合に、前記情報処理装置を前記第１の省電力モードから前記スタンバイモードに移行し、
前記情報処理手段は、前記記憶手段に記憶された前記第２のステータス情報を用いて、前記情報処理装置の復帰処理を実行することを特徴とする請求項１又は２に記載の情報処理装置。
【請求項４】
前記情報処理手段は、
前記情報処理装置が前記スタンバイモードから前記第１の省電力モードに移行する前に、前記第１のステータス情報を前記記憶手段に書き込むことを特徴とする請求項３に記載の情報処理装置。
【請求項５】
前記第２のステータス情報は、前記第１の省電力モードに移行する直前の前記スタンバイモードにおける前記情報処理装置のステータスを示す情報であることを特徴とする請求項３に記載の情報処理装置。
【請求項６】
前記第１のステータス情報が予め格納された補助記憶手段をさらに備え、
前記情報処理手段は、前記補助記憶手段に格納される前記第１のステータス情報を前記記憶手段に転送することを特徴とする請求項１乃至５のいずれか１項に記載の情報処理装置。
【請求項７】
前記記憶手段は、不揮発性のメモリであることを特徴とする請求項１乃至６のいずれ１項に記載の情報処理装置。
【請求項８】
前記電源スイッチがオフされた場合に、前記情報処理装置を前記第２の省電力モードに移行させるか否かを設定する設定手段をさらに備え、
前記設定手段によって前記情報処理装置を前記第２の省電力モードに移行させることが設定されている場合には、前記電源制御手段は、前記電源スイッチがオフされた場合に、前記情報処理装置を前記第２の省電力モードに移行し、前記設定手段によって前記情報処理装置を前記第２の省電力モードに移行させることが設定されていない場合には、前記電源制御手段は、前記電源スイッチがオフされた場合に、前記情報処理装置を電源オフ状態にすることを特徴とする請求項１乃至７のいずれか１項に記載の情報処理装置。
【請求項９】
用紙に画像を形成する画像形成手段をさらに備えることを特徴とする請求項１乃至８のいずれか１項に記載の情報処理装置。
【請求項１０】
情報処理装置であって、
情報処理を実行する情報処理手段と、
前記情報処理手段が用いる情報を記憶する記憶手段と、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御手段とを備え、
前記電源制御手段は、予め規定された移行要因を満たした場合に、前記情報処理装置を前記第１の省電力モードに移行し、
前記第１の省電力モードで電源スイッチがオフされた場合に、前記情報処理手段は、前記記憶手段に第１のステータス情報を書き込むととともに、前記電源制御手段は、前記情報処理装置を前記第１の省電力モードから前記第２の省電力モードに移行し、
前記第２の省電力モードで前記電源スイッチがオンされた場合に、前記電源制御手段は、前記情報処理装置を前記第２の省電力モードから前記スタンバイモードに移行するととともに、前記情報処理手段は、前記記憶手段に記憶された前記第１のステータス情報を用いて、前記情報処理装置の起動処理を実行することを特徴とする情報処理装置。
【請求項１１】
前記第１のステータス情報は、前記情報処理装置が電源オフ状態から前記電源スイッチがオンされた直後の前記情報処理装置のステータスを示す情報であることを特徴とする請求項１０に記載の情報処理装置。
【請求項１２】
前記情報処理手段は、前記電源制御手段が前記情報処理装置を前記スタンバイモードから前記第１の省電力モードに移行する場合に、前記記憶手段に第２のステータス情報をさらに書き込み、
前記電源制御手段は、前記第１の省電力モードで予め規定された復帰要因を満たした場合に、前記情報処理装置を前記第１の省電力モードから前記スタンバイモードに移行し、
前記情報処理手段は、前記記憶手段に記憶された前記第２のステータス情報を用いて、前記情報処理装置の復帰処理を実行することを特徴とする請求項１０又は１１に記載の情報処理装置。
【請求項１３】
前記第２のステータス情報は、前記第１の省電力モードに移行する直前の前記スタンバイモードにおける前記情報処理装置のステータスを示す情報であることを特徴とする請求項１２に記載の情報処理装置。
【請求項１４】
前記第１のステータス情報が予め格納された補助記憶手段をさらに備え、
前記情報処理手段は、前記補助記憶手段に格納される前記第１のステータス情報を前記記憶手段に転送することを特徴とする請求項１０乃至１３のいずれか１項に記載の情報処理装置。
【請求項１５】
前記記憶手段は、不揮発性のメモリであることを特徴とする請求項１０乃至１４のいずれか１項に記載の情報処理装置。
【請求項１６】
前記電源スイッチがオフされた場合に、前記情報処理装置を前記第２の省電力モードに移行させるか否かを設定する設定手段をさらに備え、
前記設定手段によって前記情報処理装置を前記第２の省電力モードに移行させることが設定されている場合には、前記電源制御手段は、前記電源スイッチがオフされた場合に、前記情報処理装置を前記第２の省電力モードに移行し、前記設定手段によって前記情報処理装置を前記第２の省電力モードに移行させることが設定されていない場合には、前記電源制御手段は、前記電源スイッチがオフされた場合に、前記情報処理装置を電源オフ状態にすることを特徴とする請求項１０乃至１５のいずれか１項に記載の情報処理装置。
【請求項１７】
用紙に画像を形成する画像形成手段をさらに備えることを特徴とする請求項１０乃至１６のいずれか１項に記載の情報処理装置。
【請求項１８】
情報処理を実行する情報処理手段と、前記情報処理手段が用いる情報を記憶する記憶手段とを有する情報処理装置の制御方法であって、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御ステップと、
前記電源制御ステップによって前記情報処理装置を前記スタンバイモードから前記第１の省電力モードに移行する場合に、前記記憶手段に第１のステータス情報を書き込む書き込みステップとを有し、
前記電源制御ステップでは、前記第１の省電力モードで電源スイッチがオフされた場合に、前記情報処理装置を前記第１の省電力モードから前記第２の省電力モードに移行し、
前記電源制御ステップでは、前記第２の省電力モードで前記電源スイッチがオンされた場合に、前記情報処理装置を前記第２の省電力モードから前記スタンバイモードに移行するとともに、前記記憶手段に記憶された前記第１のステータス情報を用いて、前記情報処理装置の起動処理を実行することを特徴とする情報処理装置の制御方法。
【請求項１９】
情報処理を実行する情報処理手段と、前記情報処理手段が用いる情報を記憶する記憶手段とを有する情報処理装置の制御方法であって、
前記情報処理装置を、前記情報処理手段および前記記憶手段に電力が供給されるスタンバイモード、前記情報処理手段に電力を供給せず且つ前記記憶手段に電力を供給する第１の省電力モード、及び前記情報処理手段に電力を供給せず且つ前記記憶手段に電力を供給する第２の省電力モードのいずれかに移行させる電源制御ステップと、
前記第１の省電力モードで電源スイッチがオフされた場合に、前記記憶手段に第１のステータス情報を書き込む書き込みステップとを有し、
前記電源制御ステップでは、予め規定された移行要因を満たした場合に、前記情報処理装置を前記第１の省電力モードに移行し、
前記電源制御ステップでは、前記第１の省電力モードで電源スイッチがオフされた場合に、前記情報処理装置を前記第１の省電力モードから前記第２の省電力モードに移行し、
前記電源制御ステップでは、前記第２の省電力モードで前記電源スイッチがオンされた場合に、前記情報処理装置を前記第２の省電力モードから前記スタンバイモードに移行するととともに、前記記憶手段に記憶された前記第１のステータス情報を用いて、前記情報処理装置の起動処理を実行することを特徴とする情報処理装置の制御方法。
【請求項２０】
請求項１８又は１９に記載の制御方法をコンピュータに実行させるためのプログラム。
【請求項２１】
請求項２０に記載のプログラムが記録されたコンピュータに読み取り可能な記憶媒体。